(57)【要約】      （修正有）【課題】トンネルに設置される消火栓装置又は消火器箱において、壁面に箱抜き部分がなくても、監視員通路の幅員を狭くすることなしに、筐体を設置することができるようにする。【解決手段】消火用ホースが収納されるホース収納部を内蔵する筐体４を有し、トンネルに設置される消火栓装置１−１であって、前記筐体４が取り付けられる取付部５ａを備えると共に、前記トンネルの壁面Ｗに固定される固定部５ｂを備える架台５を有することを特徴とする。【選択図】図４
2019068956.tif 000002
【特許請求の範囲】
【請求項１】
消火用ホースが収納されるホース収納部を内蔵する筐体を有し、トンネルに設置される消火栓装置であって、
前記筐体が取り付けられる取付部を備えると共に、前記トンネルの壁面に固定される固定部を備える架台を有することを特徴とする消火栓装置。
【請求項２】
消火器が格納される筐体を有し、トンネルに設置される消火器箱であって、
前記筐体が取り付けられる取付部を備えると共に、前記トンネルの壁面に固定される固定部を備える架台を有することを特徴とする消火器箱。
【請求項３】
前記架台の固定部は、前記壁面に設けられるインサートアンカーに固定されることを特徴とする請求項１に記載の消火栓装置又は請求項２に記載の消火器箱。
【請求項４】
前記架台の取付部は、上方に面する載置面部を有する一方、前記筐体の背面は、下方に面する被載置面部を有し、前記筐体は、その被載置面部が前記架台の載置面部に載置されて、前記架台に取り付けられることを特徴とする請求項１若しくは３に記載の消火栓装置又は請求項２若しくは３に記載の消火器箱。
【請求項５】
前記架台の取付部は、前方に面する接合面部を有する一方、前記筐体の背面は、後方に面する被接合面部を有し、前記筐体は、その被接合面部が前記架台の接合面部に接合されて、前記架台に取り付けられることを特徴とする請求項１、３若しくは４に記載の消火栓装置又は２、３若しくは４に記載の消火器箱。
【請求項６】
前記架台の取付部は、上方に面する載置面部を有する一方、前記筐体の底面は、下方に面する被載置面部を有し、前記筐体は、その被載置面部が前記架台の載置面部に載置されて、前記架台に取り付けられることを特徴とする請求項１、３乃至５のいずれか１項に記載の消火栓装置又は請求項２乃至５のいずれか１項に記載の消火器箱。
【請求項７】
前記架台は、前記壁面に対して左右方向の角度が調整可能であることを特徴とする請求項１、３乃至６のいずれか１項に記載の消火栓装置又は請求項２乃至６のいずれか１項に記載の消火器箱。
【請求項８】
前記筐体は、前記架台に対して左右方向の角度が調整可能であることを特徴とする請求項１、３乃至７のいずれか１項に記載の消火栓装置又は請求項２乃至７のいずれか１項に記載の消火器箱。
【請求項９】
前記架台は、前記固定部が設けられる本体部と、前記取付部の載置面部が設けられ、前記本体部に左右方向の角度が調整可能に結合される載置台部を有することを特徴とする請求項６に記載の消火栓装置又は請求項６に記載の消火器箱。
【請求項１０】
前記架台は、上部に位置して、前記載置面部が設けられる上板部と、その上板部の下部に連続し、前記固定部が設けられる背板部と、その背板部の下部に連続し、前記トンネルの監視員通路に固定される底板部とを有し、全体が側面視略コ字状の形状をなすことを特徴とする請求項６に記載の消火栓装置又は請求項６に記載の消火器箱。
【請求項１１】
前記架台は、上部に位置して、前記取付部となる上板部であって、上方に面する載置面部が設けられる上板部と、その上板部の下部に連続する背板部と、その背板部の下部に連続し、前記固定部となる底板部であって、前記壁面に代えて監視員通路に固定される底板部とを有して、全体が側面視略コ字状の形状をなし、
前記筐体は、その底面に設けられる被載置面部が前記架台の載置面部に載置されて、前記架台に取り付けられることを特徴とする請求項１に記載の消火栓装置又は請求項２に記載の消火器箱。
【請求項１２】
前記架台の背面は、その一部又は全部が前記壁面の断面円弧状の曲面形状に対応する傾斜面形状又は曲面形状をなすことを特徴とする請求項１、３乃至１１のいずれか１項に記載の消火栓装置又は請求項２乃至１１のいずれか１項に記載の消火器箱。
【発明の詳細な説明】
【技術分野】
【０００１】
この発明は、トンネルに設置される消火栓装置及び消火器箱に関する。
【背景技術】
【０００２】
従来、トンネルに設置される消火栓装置は、消火用ホースが収納されるホース収納部を内蔵する筐体が、壁面に形成される箱抜き部分に設置されていた（例えば、特許文献１参照）。
【先行技術文献】
【特許文献】
【０００３】
【特許文献１】特開２０１５−４４０３９号公報
【発明の概要】
【発明が解決しようとする課題】
【０００４】
最近のトンネルは、シールド工法により施工されることが多い。シールド工法では、掘削と同時に壁面が鋼製のセグメントにより構築されるため、従来のもののように壁面に箱抜き部分を形成することができない。
【０００５】
壁面に箱抜き部分のない場所に消火栓装置の筐体を設置する場合、筐体を監視員通路上に置いて設置することが考えられる。しかしながら、そのように設置すれば、当然、監視員通路の幅員を狭くしてしまうことになる。
【０００６】
また、トンネルには、初期消火用の消火器が格納される筐体を有する消火器箱が設置されることがある。その消火器箱を設置する場合にも、消火栓装置について前記で述べたのと同様の課題がある。
【０００７】
なお、シールド工法により施工されるトンネルの壁面には、トンネル内に設置される照明等の各種機器や配管等の設置物の固定用のものとして、インサートアンカーと呼ばれるボルト穴（以下、単に「インサートアンカー」という。）が多数、トンネルの長さ方向（車両の走行方向）に縦横に規則的な配置で設けられている。それらインサートアンカーを使用して消火栓装置の筐体を設置することができれば、施工上、有利である。
【０００８】
また、シールド工法でなく従来の工法により施工されるトンネルの場合でも、消火栓装置や消火器箱を後付けで設置する場合には、箱抜きせずにこれらを壁面に取り付けるようにすることで、箱抜き作業が不要となり、時間、費用ともに削減することができる。
【０００９】
この発明は、上記の事情に鑑み、トンネルに設置される消火栓装置又は消火器箱において、壁面に箱抜き部分がなくても、監視員通路の幅員を狭くすることなしに、筐体を設置することができるようにすることを目的とする。また、インサートアンカーを使用して、そのように設置することができるようにすることを目的とする。また、その筐体の設置角度を調整することができるようにすることを目的とする。
【課題を解決するための手段】
【００１０】
この発明は、消火用ホースが収納されるホース収納部を内蔵する筐体を有し、トンネルに設置される消火栓装置であって、前記筐体が取り付けられる取付部を備えると共に、前記トンネルの壁面に固定される固定部を備える架台を有することを特徴とする消火栓装置である。
【００１１】
また、この発明は、消火器が格納される筐体を有し、トンネルに設置される消火器箱であって、前記筐体が取り付けられる取付部を備えると共に、前記トンネルの壁面に固定される固定部を備える架台を有することを特徴とする消火器箱である。
【００１２】
また、この発明は、前記架台の固定部は、前記壁面に設けられるインサートアンカーに固定されることを特徴とする消火栓装置又は消火器箱である。
【００１３】
また、この発明は、前記架台の取付部は、上方に面する載置面部を有する一方、前記筐体の背面は、下方に面する被載置面部を有し、前記筐体は、その被載置面部が前記架台の載置面部に載置されて、前記架台に取り付けられることを特徴とする消火栓装置又は消火器箱である。
【００１４】
また、この発明は、前記架台の取付部は、前方に面する接合面部を有する一方、前記筐体の背面は、後方に面する被接合面部を有し、前記筐体は、その被接合面部が前記架台の接合面部に接合されて、前記架台に取り付けられることを特徴とする消火栓装置又は消火器箱である。
【００１５】
また、この発明は、前記架台の取付部は、上方に面する載置面部を有する一方、前記筐体の底面は、下方に面する被載置面部を有し、前記筐体は、その被載置面部が前記架台の載置面部に載置されて、前記架台に取り付けられることを特徴とする消火栓装置又は消火器箱である。
【００１６】
また、この発明は、前記架台は、前記壁面に対して左右方向の角度が調整可能であることを特徴とする消火栓装置又は消火器箱である。
【００１７】
また、この発明は、前記筐体は、前記架台に対して左右方向の角度が調整可能であることを特徴とする消火栓装置又は消火器箱である。
【００１８】
また、この発明は、前記架台は、前記固定部が設けられる本体部と、前記取付部の載置面部が設けられ、前記本体部に左右方向の角度が調整可能に結合される載置台部を有することを特徴とする消火栓装置又は消火器箱である。
【００１９】
また、この発明は、前記架台は、上部に位置して、前記載置面部が設けられる上板部と、その上板部の下部に連続し、前記固定部が設けられる背板部と、その背板部の下部に連続し、前記トンネルの監視員通路に固定される底板部とを有し、全体が側面視略コ字状の形状をなすことを特徴とする消火栓装置又は消火器箱である。
【００２０】
また、この発明は、前記架台は、上部に位置して、前記取付部となる上板部であって、上方に面する載置面部が設けられる上板部と、その上板部の下部に連続する背板部と、その背板部の下部に連続し、前記固定部となる底板部であって、前記壁面に代えて監視員通路に固定される底板部とを有して、全体が側面視略コ字状の形状をなし、前記筐体は、その底面に設けられる被載置面部が前記架台の載置面部に載置されて、前記架台に取り付けられることを特徴とする消火栓装置又は消火器箱である。
【００２１】
また、この発明は、前記架台の背面は、その一部又は全部が前記壁面の断面円弧状の曲面形状に対応する傾斜面形状又は曲面形状をなすことを特徴とする消火栓装置又は消火器箱である。
【００２２】
ここで、この発明を説明するのに使用している「上」、「下」、「左」、「右」、「前」、「後」等の位置関係等を表す語は、消火栓装置又は消火器箱の筐体が架台と共にトンネルに設置されている状態における向きに対応して使用しているものである。
【発明の効果】
【００２３】
この発明によれば、筐体が取り付けられる取付部を備えると共に、壁面に固定される固定部を備える架台を有するものとしていることで、筐体を壁面に固定される架台に取り付けて設置することができ、箱抜き部分がなくても、筐体を壁面に設置することができる。
【００２４】
したがって、この発明によれば、トンネルに設置される消火栓装置又は消火器箱において、壁面に箱抜き部分がなくても、監視員通路の幅員を狭くすることなしに、筐体を設置することができる。
【００２５】
また、この発明においては、架台の固定部は、インサートアンカーに固定されるものとすることにより、インサートアンカーを使用して、そのように設置することができる。また、架台は、壁面に対して左右方向の角度が調整可能なものとすることにより、或いは、筐体は、架台に対して左右方向の角度が調整可能なものとすることにより、筐体の設置角度を調整することができる。
【図面の簡単な説明】
【００２６】
【図１】この発明の実施形態の消火栓装置の一例（第１の実施形態）を示したものであり、その消火栓装置がトンネルの壁面に設置されている状態の正面図である。
【図２】同上の側面図である。
【図３】図１の要部拡大図である。
【図４】図２の要部拡大図である。
【図５】同上の消火栓装置の他の例（第２の実施形態）を示したものであり、図３に相当するである。
【図６】同上の例の図４に相当する図である。
【図７】同上の消火栓装置のさらに他の例（第３の実施形態）を示したものであり、図３に相当する図である。
【図８】同上の例の図４に相当する図である。
【図９】同上の例の監視員通路や車道がトンネルの長さ方向に傾斜しているトンネルに設置される際の図３に相当する図である。
【図１０】同上の例における架台単体の拡大側面図である。
【図１１】同上の消火栓装置のさらに他の例（第４の実施形態）を示したものであり、図４に相当する図である。
【図１２】同上の例における架台単体がトンネルの壁面に固定されている状態の図３に相当する図である。
【図１３】同上の例における架台単体の背面図である。
【図１４】同上の消火栓装置のさらに他の例（第５の実施形態）を示したものであり、図３に相当する図である。
【図１５】同上の例の図４に相当する図である。
【図１６】同上の例の変形例を示したものであり、図１５の要部拡大図に相当する図である。
【発明を実施するための形態】
【００２７】
この発明の実施形態について、消火栓装置に適用する場合を例として、図面を参照しつつ説明する。なお、この発明は、消火栓装置だけでなく、筐体内に消火器が格納されてトンネルに設置される消火器箱にも適用することができるものであり、以下に説明する消火栓装置に適用する場合の例における筐体に対する設置構造を消火器箱の筐体に対する設置構造として適用することができるものである。
【００２８】
［第１の実施形態］
この発明の第１の実施形態に係る消火栓装置１−１について、図１乃至図４を参照しつつ説明する。
【００２９】
まず、消火栓装置１−１の基本構成について、簡単に説明する。
【００３０】
［基本構成］
消火栓装置１−１は、図１乃至図４に示したように、消火用ホース２が収納されるホース収納部３等を内蔵する筐体４を備えている。筐体４は、消火用ホース２の引き出し等をするための開口４ａと、その開口４ａを開閉する前扉４ｂとが設けられた前面パネル４ｃを有している。なお、前扉４ｂは、前傾して開くものであり、その裏面には、消火用ホース２の先端に設けられる消火用ノズル２ａや消火栓弁操作用の操作レバー等が設けられている。
【００３１】
そして、消火栓装置１−１は、シールド工法により施工されるトンネルＴに設置することのできるものであり、その筐体４を鋼製のセグメントＳＧにより構築される壁面Ｗに沿って設置することのできるものである。
【００３２】
ここで、消火栓装置１−１は、本実施形態の場合、消火栓弁を含むその配管部分を別ユニットとして筐体４から分離し、筐体４を薄型で軽量のものとしており、壁面Ｗ上に設置するための支持部材への負担を軽減することができるものとしてい。なお、分離したユニットは、例えば、トンネルＴにおける車道Ｒ１下の床版ＦＳ下や監視員通路Ｒ２下の空間に設けることができる。
【００３３】
次に、消火栓装置１−１における筐体４をトンネルＴに設置するための支持部材について、詳細に説明する。
【００３４】
［架台］
消火栓装置１−１は、筐体４をトンネルＴに設置するための支持部材として、筐体４が取り付けられる取付部５ａと、壁面Ｗに固定される固定部５ｂとを備える架台５を有する。
【００３５】
消火栓装置１−１においては、この架台５を有することにより、筐体４を壁面Ｗに固定される架台５に取り付けて設置することができ、箱抜き部分がなくても、筐体４を壁面Ｗに設置することができる。
【００３６】
したがって、消火栓装置１−１によれば、壁面Ｗに箱抜き部分がなくても、監視員通路Ｒ２の幅員を狭くすることなしに、筐体４を設置することができる。
【００３７】
ここで、シールド工法により施工されるトンネルＴの壁面Ｗには、トンネル内に設置される照明等の各種機器や配管等の設置物の固定用のものとして、インサートアンカーと呼ばれるボルト穴（以下、単に「インサートアンカー」という。）ＡＣが多数、規則的な配置で縦横に設けられている。筐体４を設置する際、それらインサートアンカーＡＣを使用すれば、施工上、有利である。
【００３８】
本実施形態において、架台５は、そのようなインサートアンカーＡＣに固定されて壁面Ｗに固定されるものとしている。すなわち、固定部５ｂがインサートアンカーＡＣに固定（ボルト止め。図示は省略）されて、壁面Ｗに固定されるものとしている。
【００３９】
さらに、架台５は、具体的には、側面視略三角形の形状を有するものとしており、その底辺側が上面５ｃとして略水平の状態で上方に面すると共に、前面５ｄが略垂直の状態で前方（筐体４側）に面する向きで、後方（壁面Ｗ側）に面する背面５ｅに設けられる前記の固定部５ｂがインサートアンカーＡＣに固定されることにより壁面Ｗに固定されるものとしている（図２及び図４参照）。そして、架台５は、筐体４が取り付けられる前記の取付部５ａをなすものとして、上面５ｃに載置面部５ｆが設けられると共に、前面５ｄに接合面部５ｇが設けられ、筐体４の背面４ｄに設けられる下方に面する被載置面部４ｇが載置面部５ｆに載置された状態で固定（例えば、ボルト止め等の締結による固定。図示は省略）されると共に、筐体４の背面４ｄに設けられる後方（架台５側）に面する被接合面部４ｈが接合面部５ｇに接合された状態で固定（例えば、ボルト止め等の締結による固定。図示は省略）されることにより、筐体４が取り付けられている（図２及び図４参照）。
【００４０】
なお、筐体４の背面４ｄには、前記の通り、下方に面する被載置面部４ｇと後方に面する被接合面部４ｈが設けられているが、それらは、具体的には、本実施形態の場合、筐体４の背面４ｄの下部に底面４ｅとの間の角隅部を略Ｌ字状に切り欠くようにして形成される段状の部分に設けられており、かつ、下方に面する被載置面部４ｇが架台５の略水平の状態の載置面部５ｆに対応して略水平の状態で設けられていると共に、後方に面する被接合面部４ｈが架台５の略垂直の状態の接合面部５ｇに対応して略垂直の状態で設けられている（図２及び図４参照）。
【００４１】
また、架台５は、本実施形態の場合、幅方向に短いものを横方向に間隔を置いて２個使用している（図１及び図３参照）。その数は、インサートアンカーＡＣの設置ピッチにもよるが、もちろん増やしてもよい。さらに、幅方向に短いものを使用するのに代えて、幅方向に長いものとしてよく、１個で筐体４を支持するものとしてもよい。なお、架台５における取付部５ａとしては、筐体４の背面４ｄに設けた段状の部分を取り付けるものとするのに代えて、筐体４の底面４ｅを載置して取り付けるものとしてもよく、その具体例については後記で詳細に説明する。
【００４２】
ここで、トンネルＴの壁面Ｗは、縦方向に断面円弧状の曲面をなしている（図２及び図４参照）。そのような曲面をなす壁面Ｗに架台５を固定する場合、それを安定したものとするために、固定部５ｂが設けられる背面５ｅの形状は、壁面Ｗの曲面形状に対応する形状を有するのが好ましい。本実施形態の場合、背面５ｅの形状を全体が壁面Ｗの断面円弧状の曲面形状に対応する傾斜面形状をなすものとしており（図２及び図４参照）、それにより、架台５を壁面Ｗに安定して固定することができるようにしている。なお、そのような傾斜面形状のものとするのを背面５ｅの全体ではなく、前記の固定部５ｂが設けられる部分に限る等、一部分だけにしてもよいが、その範囲は広い方が架台５を壁面Ｗにより安定して固定することができる。
【００４３】
［第２の実施形態］
この発明の第２の実施形態に係る消火栓装置１−２について、図５及び図６を参照しつつ説明する。なお、架台５の構成が前記の実施形態におけるものとは異なるが、説明の便宜上、図面符号については、追加の構成部分を除き、前記の実施形態におけるものと同じものを使用する。
【００４４】
本実施形態に係る消火栓装置１−２は、架台５における筐体４の取り付け構造について、筐体４を後方の架台５に前後方向に接合させて固定するだけで取り付けるようにしたものである。また、全体の形状を縦方向に長いものとしつつ、背面５ｅの形状を壁面Ｗの断面円弧状の曲面形状に対応する曲面形状をなすものとしたものである。
【００４５】
すなわち、消火栓装置１−２において、架台５は、縦方向に長い側面視略弓形の形状を有するものとしており、その平面側が略垂直の状態の前面５ｄとして前方（筐体４側）に面すると共に、その曲面側が背面５ｅとして後方（壁面Ｗ側）に面する向きで、背面５ｅに設けられる固定部５ｂがインサートアンカーＡＣに固定されることにより、筐体４の設置位置の後方に位置して、壁面Ｗに固定されるものとしている（図６参照）。そして、架台５は、筐体４が取り付けられる取付部５ａをなすものとして、前面５ｄに接合面部５ｇが設けられ、筐体４の背面４ｄに設けられる後方（架台５側）に面する被接合面部４ｈが接合面部５ｇに接合された状態で固定（例えば、ボルト止め等の締結による固定。図示は省略）されることにより、筐体４が取り付けられている（図６参照）。
【００４６】
この消火栓装置１−２においても、壁面Ｗに箱抜き部分がなくても、監視員通路Ｒ２の幅員を狭くすることなしに、筐体４を設置することができるし、架台５を壁面Ｗに安定して固定することができる。さらに、架台５を縦方向に長いものとしていることにより、架台５側の接合面部５ｇと筐体４側の被接合面部４ｈとの接合・固定を高さ方向に調整可能とすることで、筐体４の高さ方向の設置位置を広い範囲で調整可能とすることもできる。
【００４７】
なお、本実施形態において、架台５は、幅方向には長さを短いものとして、横方向に間隔を置いて２個使用しているが（図５参照）、その数は増やしてもよいし、幅方向に短いものを使用するのに代えて、幅方向に長いものとし、１個で筐体４を支持するものとしてもよい。
【００４８】
［第３の実施形態］
この発明の第３の実施形態に係る消火栓装置１−３について、図７乃至図１０を参照しつつ説明する。なお、この消火栓装置１−３においても、説明の便宜上、図面符号については、追加の構成部分を除き、前記の実施形態におけるものと同じものを使用する。
【００４９】
本実施形態に係る消火栓装置１−３は、架台５における筐体４の取り付け構造について、筐体４を下方の架台５に底面４ｅを載置して固定するだけで取り付けるようにしたものである。また、その底面４ｅが載置される載置面部５ｆを左右方向に角度調整可能として、筐体４を左右方向に角度調整可能としたものである。
【００５０】
すなわち、消火栓装置１−３において、架台５は、幅方向の長さを筐体４の幅方向の長さと同程度の長いものとすると共に、その壁面Ｗへの固定位置を筐体４の設置位置の下方としている（図７参照）。また、上辺側より下辺側の方が短い側面視略四角形の形状を有する箱形をなし、背面５ｅにインサートアンカーＡＣへの固定部５ｂが設けられる本体部５ｈと、その本体部５ｈに被せられるように設けられて、上面５ｃに筐体４の取付部５ａとなる載置面部５ｆが設けられる載置台部５ｉとからなるものとしている。そして、架台５は、載置台部５ｉの載置面部５ｆに筐体４の底面４ｅが載置された状態で固定（例えば、ボルト止め等による締結固定。図示は省略）されて、筐体４が取り付けられている（図８参照）。さらには、載置台部５ｉが本体部５ｈに左右方向の角度を調整可能に設けられており、架台５は、載置台部５ｉの左右方向の角度を調整することにより、載置面部５ｆに載置されて取り付けられる筐体４の左右方向の角度が調整可能になっている（図７及び図９参照）。
【００５１】
ここで、トンネルＴにおいて、車道Ｒ１や監視員通路Ｒ２は、長さ方向（車両の走行方向）に傾斜して坂道になっていることがある（図９参照）。そのような坂道になっている場所に筐体４を設置する際には、坂道の傾斜に対応して傾斜させて設置するのが好ましい。本実施形態の場合、載置台部５ｉの左右方向の角度を調整することにより、載置面部５ｆに載置されて取り付けられる筐体４の左右方向の角度を調整可能であり、筐体４を車道Ｒ１や監視員通路Ｒ２の傾斜に合わせて傾斜させて設置することが可能である（図９参照）。
【００５２】
つまり、この消火栓装置１−３によっても、壁面Ｗに箱抜き部分がなくても、監視員通路Ｒ２の幅員を狭くすることなしに、筐体４を設置することができるが、それだけでなく、筐体４を車道Ｒ１や監視員通路Ｒ２の傾斜に合わせて傾斜させて設置することができる。
【００５３】
消火栓装置１−３においては、前記の通り、載置台部５ｉが本体部５ｈに左右方向の角度を調整可能に結合されるものとしている。その調整手段について、ここで具体的に説明する。
【００５４】
すなわち、載置台部５ｉは、図１０の拡大図から詳細が理解されるように、上面５ｃに載置面部５ｆが設けられる上面板５ｋと、その上面板５ｋの前縁部に連続して下方に曲折する前面板５ｍとからなり、全体として断面略Ｌ字状の形状を有している。本体部５ｈに対しては、上面板５ｋが本体部５ｈの上面を上方から覆うと共に、前面板５ｍが本体部５ｈの前面を前方から覆う配置で設けられている。また、上面板５ｋの左右方向一方の端部側が本体部５ｈの左右方向同じ側の一方の端部側の上部に軸着部（ヒンジ）５ｊにより前後方向に沿う軸回りに回動可能に結合されている。載置台部５ｉは、その軸回りに回動することにより、左右方向の角度位置が可変のものとして設けられている。そして、前面板５ｍの左右方向他方の端部側に位置して、湾曲した１つの長穴５ｎが設けられていると共に、本体部５ｈの左右方向同じ側の他方の端部側の前面に長穴５ｎの湾曲に沿う配置で複数の穴５ｐが設けられており、さらに、その長穴５ｎに挿通された上で複数の穴５ｐに挿通されて固定される複数のボルト５ｑが設けられている。これら長穴５ｎ、複数の穴５ｐ及び複数のボルト５ｑが、載置台部５ｉの左右方向の角度位置の固定機構として機能する。これにより、載置台部５ｉは、軸着部５ｊの回動軸を軸として回動させて、左右方向の角度位置を変えつつ、長穴５ｎに挿通した上でボルト５ｑを挿通する複数の穴５ｐの対象を変えることにより、左右方向の任意の角度位置に固定することができるようになっている。
【００５５】
本実施形態の架台５においても、背面５ｅ（本体部５ｈの背面）の形状を壁面Ｗの断面円弧状の曲面形状に対応する傾斜面形状をなすものとしており、架台５を固定部５ｂにより壁面Ｗに安定して固定することもできるようになっている。
【００５６】
なお、軸着部５ｊの回転軸をボルト・ナットによって構成してもよく、この場合、本体部５ｈおよび前面板５ｍに回転軸用のボルト穴を設けるようにすればよい。さらに、長穴５ｎも複数のボルト穴（長穴５ｎの湾曲に沿った配置）とすることができ、この場合、長穴５ｎと比較すると角度調整は細かくできないものの、固定後に振動などによりずれる恐れをなくすことができる。
【００５７】
［第４の実施形態］
この発明の第４の実施形態に係る消火栓装置１−４について、図１１乃至図１３を参照しつつ説明する。なお、この消火栓装置１−４においても、説明の便宜上、図面符号については、追加の構成部分を除き、前記の実施形態におけるものと同じものを使用する。
【００５８】
本実施形態に係る消火栓装置１−４は、架台５における筐体４の取り付け構造について、第２の実施形態と同様、筐体４を後方の架台５に前後方向に接合させて固定するだけで取り付けるようにしたものであるが、架台５を壁面Ｗに左右方向に角度調整可能に固定するものとして、それに取り付けられる筐体４を左右方向に角度調整可能としたものである。
【００５９】
すなわち、消火栓装置１−４において、架台５は、幅方向の長さを筐体４の幅方向の長さと同程度の長いものとすると共に、その壁面Ｗへの固定位置を筐体４の設置位置の後方としている（図１１及び図１２参照）。また、全体の形状として、正面視略四角形（長方形）のパネル状の形状を有するものとしており、その４辺にフレームをなすように後方に曲折して形成される曲折部５ｒを有するものとしている（図１１及び図１２参照）。さらに、その上下の曲折部５ｒ間に架け渡されるように設けられると共に、左右一対をなすものとして設けられ、幅方向に長さの短い板状をなす裏板５ｓを有するものとしており、その裏板５ｓのそれぞれにインサートアンカーＡＣへの固定部５ｂが設けられるものとしている（図１３参照）。そして、架台５は、筐体４が取り付けられる取付部５ａをなすものとして、前面５ｄに接合面部５ｇが設けられており、その接合面部５ｇが設けられる前面５ｄが前方（筐体４側）に面すると共に、固定部５ｂが設けられる裏板５ｓの背面が後方（壁面Ｗ側）に面する向きで、その裏板５ｓに設けられる固定部５ｂがインサートアンカーＡＣに固定（ボルト止め）されることにより、壁面Ｗに固定されている（図１２、１３参照）。また、筐体４の背面４ｄに設けられる後方に面する被接合面部４ｈが接合面部５ｇに接合された状態で固定（例えば、ボルト止め等の締結による固定。図示は省略）されることにより、筐体４が取り付けられている（図１１参照）。さらには、裏板５ｓにそれぞれ設けられる固定部５ｂに、固定対象のインサートアンカーＡＣ間の間隔を直径とする円周上に位置する配置で互いに向い合わせに湾曲する円弧状の長穴５ｔが設けられており（図１３参照）、架台５は、それら長穴５ｔに沿って左右方向に回動可能にインサートアンカーＡＣに固定されることにより、壁面Ｗに対し左右方向の角度が調整可能になっており、それに取り付けられる筐体４の左右方向の角度が調整可能になっている。
【００６０】
この消火栓装置１−４によっても、壁面Ｗに箱抜き部分がなくても、監視員通路Ｒ２の幅員を狭くすることなしに、筐体４を設置することができるし、筐体４を車道Ｒ１や監視員通路Ｒ２の傾斜に合わせて傾斜させて設置することができる。
【００６１】
また、本実施形態の架台５において、曲折部５ｒによって形成される側面視の形状は、上辺側より下辺側が短い略四角形（略三角形とも言える）をなしている（図１１参照）。背面５ｅは、その曲折部５ｒの後端縁と裏板５ｓによって形成されるが、その形状は、壁面Ｗの断面円弧状の曲面形状に対応する傾斜面形状をなしている。すなわち、本実施形態の架台５においても、架台５を固定部５ｂにより壁面Ｗに安定して固定することができる。
【００６２】
なお、本実施形態の架台５は、壁面Ｗに対して左右方向の角度が調整可能に固定されるものとしているが、例えば、架台５の取付部５ａ（接合面部５ｇ）と筐体４の背面４ｅ（被接合面部）との固定部分に左右方向の角度調整手段を設け、筐体５が、架台５に対して左右方向の角度が調整可能に取り付けられるものとしてもよい。
【００６３】
［第５の実施形態］
この発明の第５の実施形態に係る消火栓装置１−５について、図１４乃至図１６を参照しつつ説明する。なお、この消火栓装置１−５においても、説明の便宜上、図面符号については、追加の構成部分を除き、前記の実施形態におけるものと同じものを使用する。
【００６４】
本実施形態に係る消火栓装置１−５は、架台５における筐体４の取り付け構造について、第３の実施形態と同様、筐体４を架台５に底面４ｅを載置して固定するだけで取り付けるようにしたものであるが、架台５を側面視略コ字状の形状を有するものとしたものである。
【００６５】
すなわち、消火栓装置１−５において、架台５は、幅方向の長さを筐体４の幅方向の長さと同程度の長いものとすると共に、その壁面Ｗへの固定位置を筐体４の設置位置の下方としている（図１４参照）。また、上面５ｃに載置面部５ｆが設けられる上板部５ｖと、上板部５ｖの下部に連続し、固定部５ｂが設けられる背板部５ｗと、背板部５ｗの下部に連続し、監視員通路Ｒ２に固定（図示の例では埋設して固定）される底板部５ｘとからなり、全体として側面視略コ字状の形状を有するものとしている。そして、架台５は、上板部５ｖの上面５ｃが略水平の状態で上方に面し、かつ、背板部５ｗの背面５ｅが後方（壁面Ｗ側）に面する向きで、背板部５ｗの背面５ｅに設けられる固定部５ｂがインサートアンカーＡＣに固定されており、底板部５ｘが監視員通路Ｒ２に埋設される状態で壁面Ｗに固定されている（図１５参照）。また、上板部５ｖの上面５ｃに設けられる載置面部５ｆに筐体４の底面４ｅに設けられる被載置面部４ｇが載置された状態で固定（例えば、ボルト止め等の締結による固定。図示は省略）されることにより、筐体４が取り付けられている（図１５参照）。
【００６６】
この消火栓装置１−５によれば、筐体４の下方に位置して、その底面４ｅが載置される架台５の形状を側面視略コ字状の形状を有するものとしていることにより、筐体４の設置位置の下方にスペースを確保することができ、監視員通路Ｒ２の幅を広く確保することができる。すなわち、この消火栓装置１−５においても、壁面Ｗに箱抜き部分がなくても、監視員通路Ｒ２の幅員を狭くすることなしに、筐体４を設置することができる。なお、底板部５ｘが監視員通路Ｒ２に埋設されているので、監視員通路Ｒ２に段差がなく、それによっても監視員通路Ｒ２の幅を広く確保することができる。
【００６７】
ここで、監視員通路Ｒ２には、壁面Ｗに沿って溝Ｇが設けられることがある（図１６参照）。そのような溝Ｇが設けられる場所に本実施形態の架台５を使用して筐体４を設置する場合、底板部５ｘの溝Ｇに対応する位置に溝Ｇの形状に対応する形状の凹部５ｙを設けるようにしてもよい（図１６参照）。そのような凹部５ｙを設けることにより、溝Ｇの溝としての機能を確保することができる。
【００６８】
なお、本実施形態において、架台５には、上板部５ｖと底板部５ｘとの間に補強のためのリブ等の部材を設けてもよい。また、架台５の固定構造については、壁面Ｗだけに固定するようにしてもよいし、監視員通路Ｒ２だけに固定するようにしてもよい。さらに、架台５の数については、幅方向に長さの短いものを複数個用いるようにしてもよい。
【００６９】
以上、この発明の実施形態ついて説明したが、この発明は上記の実施形態に限られるものではない。
【００７０】
第１乃至第５の実施形態における各架台５の形状、壁面Ｗ等への固定構造、筐体４の取付構造等については、適宜変更することができ、互いに置換したり、組み合わせたりすることができる。例えば、第３及び第５の実施形態における架台５については、筐体４の背面５ｅと前後方向に接合させて固定することにより取り付けるようにしてもよいし（この場合、接合面部５ｇに相当する部分を設ける必要がある。）、逆に、第１の実施形態における架台５については、筐体４の底面４ｅを載置して固定することにより取り付けるようにしてもよい（この場合、接合面部５ｇは設けなくてもよい。）。
【００７１】
さらに、第１乃至第５の実施形態において、架台５は、いずれもインサートアンカーＡＣに固定されるものとして説明したが、インサートアンカーＡＣのような既設のボルト穴等に固定するのに代えて、壁面Ｗに新設したボルト穴等に固定するようにしてもよい。
【００７２】
また、この発明は、図示等していないが、筐体４に消防隊用の給水栓や火災検出用の検知器等が設けられる場合にも適用することができる。
【符号の説明】
【００７３】
１−１〜１−５：消火栓装置  ２：消火用ホース  ２ａ：消火用ノズル
３：ホース収納部  ４：筐体  ４ａ：開口  ４ｂ：前扉  ４ｃ：前面パネル
４ｄ：背面  ４ｅ：底面  ４ｇ：被載置面部  ４ｈ：被接合面部
５：架台  ５ａ：取付部  ５ｂ：固定部  ５ｃ：上面  ５ｄ：前面
５ｅ：背面  ５ｆ：載置面部  ５ｇ：接合面部  ５ｈ：本体部
５ｉ：載置台部  ５ｊ：軸着部  ５ｋ：上面板  ５ｍ：前面板
５ｎ：長穴  ５ｐ：穴  ５ｑ：ボルト  ５ｒ：曲折部  ５ｓ：裏板
５ｔ：長穴  ５ｖ：上板部  ５ｗ：背板部  ５ｘ：底板部
５ｙ：凹部  Ｔ：トンネル  Ｗ：壁面  ＳＧ：セグメント
ＡＣ：インサートアンカー  Ｇ：溝  Ｒ１：車道  Ｒ２：監査路
ＦＳ：床版
【図１】
2019068956.tif 000003
【図２】
2019068956.tif 000004
【図３】
2019068956.tif 000005
【図４】
2019068956.tif 000006
【図５】
2019068956.tif 000007
【図６】
2019068956.tif 000008
【図７】
2019068956.tif 000009
【図８】
2019068956.tif 000010
【図９】
2019068956.tif 000011
【図１０】
2019068956.tif 000012
【図１１】
2019068956.tif 000013
【図１２】
2019068956.tif 000014
【図１３】
2019068956.tif 000015
【図１４】
2019068956.tif 000016
【図１５】
2019068956.tif 000017
【図１６】
2019068956.tif 000018